(57)【特許請求の範囲】
【請求項１】
独自のメディア識別子を保持すると共に暗号化コンテンツデータを復号するためのコンテンツ鍵データを保持する記憶媒体に接続可能に構成された携帯端末に対し各種データを配信可能に構成されたサーバ及び端末を備え、コンテンツデータを前記携帯端末で利用可能とするコンテンツデータ配信システムであって、
前記サーバは、
前記携帯端末に関する携帯端末識別子と前記メディア識別子との対のデータとしての会員登録情報を保持する会員登録情報データベースを備え、
前記端末は、
前記記憶媒体が保持するメディア識別子を読み出して前記サーバに前記メディア識別子を前記会員登録情報データベースと照合させる照合部と、
前記照合部により前記メディア識別子が前記会員登録情報と合致すると判定された場合に、前記記憶媒体が保持するコンテンツ鍵データを読み出すと共に、読み出されたコンテンツ鍵データに対応する暗号化コンテンツデータが前記記憶媒体又はこれと連携する他の記憶媒体に格納されているか否かを判定する格納状況判定部と、
前記格納状況判定部の判定結果を表示する表示部と、
前記記憶媒体のユーザの指定に応じて前記暗号化コンテンツデータの前記記憶媒体又は前記他の記憶媒体への転送を行う転送部と
を備えたことを特徴とするコンテンツデータ配信システム。
【請求項２】
前記サーバは、
前記ユーザが有するコンテンツ鍵データである会員コンテンツ鍵データを前記メディア識別子又は前記携帯端末識別子と関連づけて保持する会員コンテンツ鍵データベースを更に備え、
前記サーバは、前記端末を通して、前記ユーザからの要求に応じ、前記会員コンテンツ鍵データを前記記憶媒体に転送することを特徴とする請求項１記載のコンテンツデータ配信システム。
【請求項３】
前記記憶媒体が保持しない前記コンテンツ鍵データに対応する暗号化コンテンツデータを前記コンテンツ鍵データの取得に先立って所定の回数を限度として許容することを特徴とする請求項１記載のコンテンツデータ配信システム。
【請求項４】
サーバと接続可能な情報処理装置であって、
携帯端末は、メディア識別子を保持すると共に暗号化コンテンツデータを復号するためのコンテンツ鍵データを少なくとも保持する記憶媒体に接続可能であり、
前記サーバは、前記携帯端末に関する携帯端末識別子と前記メディア識別子とを対応付けて保持するデータベースを有し、
前記記憶媒体が保持するメディア識別子を読み出して前記サーバに前記メディア識別子に対応する携帯端末識別子の有無を照会する照合部と、
前記サーバから前記メディア識別子に対応する携帯端末識別子が前記データベースにあった旨を受信した場合に、前記記憶媒体が保持するコンテンツ鍵データを読み出すと共に、読み出されたコンテンツ鍵データに対応する暗号化コンテンツデータが前記記憶媒体又はこれと連携する他の記憶媒体に格納されているか否かを判定する格納状況判定部と、
前記格納状況判定部の判定結果を表示する表示部と、
前記記憶媒体のユーザの指定に応じて前記暗号化コンテンツデータの前記記憶媒体又は前記他の記憶媒体への転送を行う転送部と
を備えたことを特徴とする情報処理装置。
【請求項５】
前記サーバは、前記ユーザが有するコンテンツ鍵データである会員コンテンツ鍵データを前記メディア識別子又は前記携帯端末識別子と関連づけて保持する会員コンテンツ鍵データベースを更に備える
ことを特徴とする請求項４記載の情報処理装置。
【請求項６】
サーバと接続可能な情報処理装置であって、
記憶媒体は、メディア識別子を保持すると共に暗号化コンテンツデータを復号するためのコンテンツ鍵データを少なくとも保持し、
前記サーバは、前記メディア識別子を含む会員登録情報を保持するデータベースを有し、
前記記憶媒体が保持するメディア識別子を読み出して前記サーバに前記会員登録情報の有無を照会する照合部と、
前記サーバから前記会員登録情報が前記データベースにあった旨を受信した場合に、前記記憶媒体が保持するコンテンツ鍵データを読み出すと共に、読み出されたコンテンツ鍵データに対応する暗号化コンテンツデータが前記記憶媒体又はこれと連携する他の記憶媒体に格納されているか否かを判定する格納状況判定部と、
前記格納状況判定部の判定結果を表示する表示部と、
前記記憶媒体のユーザの指定に応じて前記暗号化コンテンツデータの前記記憶媒体又は前記他の記憶媒体への転送を行う転送部と
を備えたことを特徴とする情報処理装置。
【請求項７】
前記サーバは、前記ユーザが有するコンテンツ鍵データである会員コンテンツ鍵データを前記メディア識別子と関連づけて保持する会員コンテンツ鍵データベースを更に備える
ことを特徴とする請求項６記載の情報処理装置。
【発明の詳細な説明】
【技術分野】
【０００１】
本発明は、コンテンツデータ配信システムに関するものであり、より詳しくは携帯電話等の携帯端末に接続される記憶媒体にコンテンツデータの配信を行うコンテンツデータ配信システム、及び情報処理装置に関する。
【背景技術】
【０００２】
近年、情報化社会の発展に伴い、本、新聞、音楽又は動画などを電子化したコンテンツをユーザ端末に配信し、コンテンツを利用可能とするコンテンツ配信システムが広く用いられてきている（例えば、特許文献１参照）。ユーザは、インターネットに接続可能とされたパーソナルコンピュータ（パソコン）により、コンテンツ配信用のインターネットホームページにアクセスし、有償又は無償でコンテンツのダウンロードを行う。ダウンロードされたコンテンツデータは、ダウンロードに用いたパソコン自体で再生することも可能であるが、これを携帯電話端末や携帯音楽プレーヤ等の携帯端末にコピーしてコンテンツデータの視聴等を行うことも一般的になってきている。
【０００３】
現行のコンテンツ配信システムにおいては、携帯電話端末で高音質音楽を楽しむ場合においても、携帯電話端末に直接コンテンツデータをダウンロードすることはできず、パソコンを介してコンテンツデータを取得することが必要である。パソコンを有さず携帯電話端末のみを有する者にとっては、パソコンを用いず、携帯電話端末のみでこうしたコンテンツ配信システムが利用できれば便利であり、またコンテンツ配信業者にとっても、ユーザの裾野が広がりビジネスチャンスが拡大するというメリットがある。
【０００４】
しかし、携帯電話端末のみでコンテンツ配信システムを利用しようとする場合、携帯電話網の通信速度に問題がある他、購入したコンテンツデータの管理が困難となるという問題がある。すなわち、パソコンを用いてコンテンツ配信システムを利用する場合、パソコンにおいてコンテンツデータ管理用ソフトウエア等を用いて大量のコンテンツデータを管理することが容易である。例えば、パソコンに大量のコンテンツデータを、ジャンル別、アーティスト別等に整理して保持・管理することができる。このように整理されたライブラリの中から、好みのコンテンツデータを適宜記憶容量が小さい携帯端末に移し替えて利用することができる。移し替えたコンテンツデータに飽きた場合には、また上記ライブラリの中から好みのものをコピーし直して楽しむこともできる。
【０００５】
一方、携帯電話端末のみでコンテンツデータ配信を受けようとする場合、記憶媒体として用いられるＳＤメモリカードの容量不足や携帯端末が備えるディスプレイの画面が小さい等の理由の等のため、大量のコンテンツデータを携帯電話のみにより適切に保持・管理することが困難である。データが散逸したり消去したりしてしまった場合には、また改めて当該コンテンツデータを購入しなければならず、ユーザにとっては不便且つ不経済である。
【特許文献１】特開２００４−３５０１５０号公報
【発明の開示】
【発明が解決しようとする課題】
【０００６】
この発明は、パソコンを用いず携帯端末のみでコンテンツ配信システムを利用する場合であっても保持するコンテンツデータの管理を容易にするコンテンツデータ配信システム、及び情報処理装置を提供することを目的とする。
【課題を解決するための手段】
【０００７】
この発明の一態様に係るコンテンツデータ配信システムは、独自のメディア識別子を保持すると共に暗号化コンテンツデータを復号するためのコンテンツ鍵データを保持する記憶媒体に接続可能に構成された携帯端末に対し各種データを配信可能に構成されたサーバ及び端末を備え、コンテンツデータを前記携帯端末で利用可能とするコンテンツデータ配信システムであって、前記サーバは、前記携帯端末に関する携帯端末識別子と前記メディア識別子との対のデータとしての会員登録情報を保持する会員登録情報データベースを備え、前記端末は、前記記憶媒体が保持するメディア識別子を読み出して前記サーバに前記メディア識別子を前記会員登録情報データベースと照合させる照合部と、前記照合部により前記メディア識別子が前記会員登録情報と合致すると判定された場合に、前記記憶媒体が保持するコンテンツ鍵データを読み出すと共に、読み出されたコンテンツ鍵データに対応する暗号化コンテンツデータが前記記憶媒体又はこれと連携する他の記憶媒体に格納されているか否かを判定する格納状況判定部と、前記格納状況判定部の判定結果を表示する表示部と、前記記憶媒体のユーザの指定に応じて前記暗号化コンテンツデータの前記記憶媒体又は前記他の記憶媒体への転送を行う転送部とを備えたことを特徴とする。
【発明の効果】
【０００８】
この発明によれば、パソコンを用いず携帯端末のみでコンテンツ配信システムを利用する場合であっても保持するコンテンツデータの管理を容易にするコンテンツデータ配信システム、及び情報処理装置を提供することができる。
【発明を実施するための最良の形態】
【０００９】
以下、本発明の実施形態について図面を参照しながら説明する。
【００１０】
図１は、本実施の形態のコンテンツデータ配信システムの全体構成を示す概念図である。ユーザは、携帯電話端末等の携帯端末１０、及びこの携帯端末１０に接続可能な記憶媒体であるＳＤメモリカード２０を保持している。この携帯端末１０及びＳＤメモリカード２０にコンテンツデータＣやコンテンツ鍵データＫｃを配信するためのシステムとして、店舗端末３０及びサーバ４０が提供されている。
【００１１】
ＳＤメモリカード２０は、データをセキュアに記憶したセキュア記憶媒体の一例であり、システム領域(System Area)２１、秘匿領域(Hidden Area)２２、保護領域(Protected Area)２３、ユーザデータ領域(User Data Area)２４及び暗復号部２５を備えており、各領域２１〜２４にデータが記憶されている。このようなＳＤメモリカード２０では、具体的には、システム領域２１に鍵管理情報ＭＫＢ(Media Key Block)及びメディア識別子ＩＤｍが記憶される。秘匿領域２２にはメディア固有鍵データＫｍｕが記憶される。保護領域２３には暗号化ユーザ鍵データＥｎｃ（Ｋｍｕ：Ｋｕ）が記憶される。ユーザデータ領域２４には、ユーザ鍵Ｋｕで暗号化されたコンテンツ鍵データＥｎｃ（Ｋｕ：Ｋｃｉ）が記憶されると共に、コンテンツ鍵データＫｃｉで暗号化されたコンテンツデータＣｉ（Ｅｎｃ（Ｋｃｉ：Ｃｉ））が記憶されている。なお、Ｅｎｃ（Ａ：Ｂ）の表記は、本明細書中ではデータＡにより暗号化されたデータＢを意味する。ここで、ユーザ鍵Ｋｕは、コンテンツ鍵Ｋｃｉに対する暗号化／復号鍵であり、同一のＳＤメモリカード２０では複数個の暗号化コンテンツ鍵Ｅｎｃ（Ｋｕ、Ｋｃ１）、Ｅｎｃ（Ｋｕ、Ｋｃ２）、・・・に対しても、共通に使用される。
【００１２】
ここで、システム領域２１は、読取専用でＳＤメモリカード２０外部からアクセス可能な領域である。秘匿領域２２は、読取専用でＳＤメモリカード２０自身が参照する領域であり、外部からのアクセスが一切不可となっている。保護領域２３は、認証に成功した場合にＳＤメモリカード２０外部から読出／書込可能な領域である。ユーザデータ領域２４は、ＳＤメモリカード２０外部から自由に読出／書込可能な領域である。この実施の形態では、暗号化コンテンツデータＥｎｃ（Ｋｃ：Ｃ）も、コンテンツ鍵データＫｃと共にＳＤメモリカード２０のユーザデータ領域２４に格納されるものとして説明を行う。ただし、ＳＤメモリカード２０とは別の記憶媒体に暗号化コンテンツデータを格納させることも可能である。暗復号部２５は、保護領域２３とＳＤメモリカード２０外部との間で、認証、鍵交換及び暗号通信を行うものであり、暗号化／復号機能をもっている。
【００１３】
このようなＳＤメモリカード２０に対し、携帯端末１０は以下のように動作する。すなわち、携帯端末１０では、ＳＤメモリカード２０のシステム領域２１から読み出した鍵管理情報ＭＫＢを、予め設定されたデバイス鍵ＫｄによりＭＫＢ処理し、メディア鍵Ｋｍを得る。次に、携帯端末１０は、このメディア鍵Ｋｍと、ＳＤメモリカード２０のシステム領域２１から読み出したメディア識別子ＩＤｍとを共にハッシュ処理し、メディア固有鍵Ｋｍｕを得る。
【００１４】
しかる後、携帯端末１０は、このメディア固有鍵Ｋｍｕに基づいて、ＳＤメモリカード２０の暗復号部５との間で認証及び鍵交換（ＡＫＥ： Authentication Key Exchange）処理を実行し、ＳＤメモリカード２０との間でセッション鍵Ｋｓを共有する。なお、認証及び鍵交換処理は、暗復号部２５に参照される秘匿領域２内のメディア固有鍵Ｋｍｕと、携帯端末１０に生成されたメディア固有鍵Ｋｍｕとが一致するときに成功し、セッション鍵Ｋｓが共有される。
【００１５】
続いて、携帯端末１０は、セッション鍵Ｋｓを用いた暗号通信を介して保護領域２３から暗号化ユーザ鍵Ｅｎｃ（Ｋｍｕ、Ｋｕ）を読み出すと、この暗号化ユーザ鍵Ｅｎｃ（Ｋｍｕ、Ｋｕ）をメディア固有鍵Ｋｍｕにより復号処理し、ユーザ鍵Ｋｕを得る。最後に、携帯端末１０は、ＳＤメモリカード２０のユーザデータ領域２４から暗号化コンテンツ鍵Ｅｎｃ（Ｋｕ、Ｋｃ）を読み出すと、この暗号化コンテンツ鍵Ｅｎｃ（Ｋｕ、Ｋｃ）をユーザ鍵Ｋｕにより復号処理し、コンテンツ鍵Ｋｃを得る。最後に携帯端末１０は、ＳＤメモリカード２０から暗号化コンテンツＥｎｃ（Ｋｃ、Ｃ）を読出すと、この暗号化コンテンツＥｎｃ（Ｋｃ、Ｃ）をコンテンツ鍵Ｋｃにより復号処理し、得られたコンテンツＣを再生する。
【００１６】
暗号化二重鍵方式では、ＳＤメモリカード２０には独自のメディア識別子ＩＤｍが付与されており、メディア識別子ＩＤｍごとに固有のユーザ鍵Ｋｕが発行される。このユーザ鍵Ｋｕも暗号化されて、ＳＤメモリカード２０の保護領域２３に格納される。ユーザ鍵Ｋｕの暗号化はメディア識別子ＩＤｍに依存しており、また正当なプレイヤーでしか復号できない。このため、侵害者がコンテンツ鍵Ｋｃのみをユーザデータ領域２４から不正にコピーしたとしても、コンテンツを取得することはできないようになっている。
【００１７】
ユーザは、コンテンツ配信業者から各種の方法でコンテンツ鍵データＫｃを購入すると共に、このコンテンツ鍵データＫｃで復号可能な暗号化コンテンツデータＥｎｃ（Ｋｃ：Ｃ）を取得する。コンテンツ鍵データＫｃ自体は少ないデータ量であるため、携帯端末１０とサーバ４０との間のナローバンドのネットワークＮ１（携帯電話網など）を介したデータ通信によっても受信することが可能である。携帯端末１０で受信されたコンテンツ鍵データＫｃは、ＳＤメモリカード２０のユーザデータ領域２４にユーザ鍵Ｋｕにより暗号化された後格納される。一方コンテンツデータＣは、通常数Ｍｂｙｔｅ以上のデータ量であるため、ナローバンド環境での送受信は困難である。このためこの実施の形態では、コンテンツデータＣの受信は店舗端末３０を介して行う。ユーザは、店舗端末３０から各種データの提供を受け、また店舗端末３０は、ブロードバンドネットワークであるネットワークＮ２を介してサーバ４０から各種データの提供を受ける。
【００１８】
店舗端末３０は、例えば全国各地に存在するコンビニエンスストア、ガソリンスタンド、書店等に設置され、各種チケット等の販売や代金支払い等のサービスを行うためのオンライン端末である。この店舗端末３０は、タッチパネルディスプレイ等の表示部３１と、ＳＤメモリカード２０を携帯端末１０から取り出した後挿入するためのスロット３２を備えている。スロット３２と並列に又はこれに代えて、携帯端末１０自体をＵＳＢケーブル等で接続するための端子等を備えても良い。なお、ネットワークＮ２は、インターネットの他、イントラネット、エクストラネット、専用線、ＶＰＮ（virtual private network）など、様々なものが使用できる。
【００１９】
そしてこの実施の形態のコンテンツデータ配信システムは、会員登録を条件として、ユーザが既に購入しＳＤメモリカード２０に格納済みであるコンテンツ鍵データＫｃに関するコンテンツデータの管理サービスを、店舗端末３０及びサーバ４０により提供する。具体的には、購入済みのコンテンツ鍵データＫｃのうち、コンテンツデータも既にＳＤメモリカード２０又は連携された記憶媒体に格納済みのものはどれであるかの情報を店舗端末３０の表示部３１から提供する。ユーザはこの情報を参照し、自身の携帯端末１０で現時点で再生可能なコンテンツデータはどれであり、また再ダウンロードを行えば支払い等をすることなく利用することができるコンテンツデータは何であるのかを把握することができる。なお、会員登録の手続きは、ユーザが携帯端末１０から携帯電話網によりサーバ４０にアクセスして行う方法、店舗端末３０を用いて行う方法、郵便で行う方法などの方法により、携帯端末に関する識別子としての携帯端末識別子ＩＤｃとメディア識別子ＩＤｍとを提示して行うものとする。携帯端末識別子ＩＤｃは、携帯端末１０自体を識別する識別子であってもよいし、又は携帯端末１０のユーザを識別する識別子であってもよい。
【００２０】
またこの実施の形態のコンテンツデータ配信システムは、会員登録を条件として、既にコンテンツ鍵データを購入済みのコンテンツデータに関し、回数の制限なく無料で（会員登録に伴う月会費は除く）再ダウンロードすることができるサービスを店舗端末３０及びサーバ４０により提供する。なお、ユーザが新規に購入するコンテンツデータ、即ちユーザがコンテンツ鍵データを購入していないコンテンツデータについては、所定の支払いを店舗における現金払い、その他オンライン、オフラインの様々な方法（クレジットカード、プリペイドカード、携帯電話料金への合算等）により実行して、コンテンツ鍵データと同時に取得することができる。また、コンテンツ鍵データの購入に先んじて、暗号化コンテンツデータのみをダウンロードさせるサービスを提供することも可能である。後でコンテンツ鍵データを購入することで、この暗号化コンテンツデータを再生することができるようになる。なお、暗号化コンテンツデータの不正な復号化等による悪用・著作権侵害等の防止のため、このコンテンツ鍵データの購入に先立っての暗号化コンテンツデータのダウンロードサービスは、回数を制限した上で行うのがよい。
【００２１】
またこの実施の形態のコンテンツデータ配信システムは、会員登録を条件として、既に購入済みのコンテンツ鍵データの束を保管、管理し、コンテンツ鍵データを誤って消去した場合等にこれを再ダウンロードすることができるサービスを店舗端末３０及びサーバ４０により提供する。
【００２２】
図２は、この店舗端末３０の内部構成を示すブロック図である。店舗端末３０は、装置全体を制御する制御部３３、表示部３１の表示状態を制御する表示制御部３４、ＳＤメモリカード２０に対するデータの読み出し及び書き込み等の処理を実行するＳＤカード処理部３５、サーバ４０との間のデータ通信の制御を行う通信制御部３６、及びコンテンツデータ配信用プログラムを含む各種プログラムや各種データ等を格納したメモリ３７を備えている。
【００２３】
サーバ４０は、店舗端末３０からのデータ照会要求やデータ転送要求に従って、照会内容に係るデータ検索を行ったり、転送要求に係るデータの送信を行ったり等、様々なデータ処理を行う。一例として、店舗端末３０は、現在処理中のＳＤメモリカード２０のメディア識別子ＩＤｍが、既に会員登録済みのデータの中に含まれるか否かの照会要求を行う。サーバ４０は、様々なデータベースと連携されており、一例として、会員登録情報データベース４１、メディア識別子データベース４２、携帯端末識別子データベース４３、コンテンツデータベース４４，コンテンツ書誌情報データベース４５、コンテンツ鍵データベース４６、及び会員コンテンツ鍵データベース４７を備えている。
【００２４】
会員登録情報データベース４１は、本実施の形態のコンテンツデータ配信システムによる特定のサービスの利用申込みをしたユーザの会員登録情報を保持するデータベースである。会員登録情報は、図３に示すように、ユーザの会員ナンバー、携帯端末識別子ＩＤｃ、及びその携帯端末１０で使用するＳＤメモリカード２０のメディア識別子ＩＤｍとを含む。なお、会員登録の手続きは、ユーザが携帯端末１０から携帯電話網によりサーバ４０にアクセスして行う方法、店舗端末３０を用いて行う方法、郵便で行う方法など、その方法は不問である。
【００２５】
メディア識別子データベース４２は、各ＳＤメモリカード２０が有するメディア識別子ＩＤｍのデータを保持するものである。携帯端末識別子データベース４３は、携帯端末識別子ＩＤｃのデータを保持するものである。コンテンツデータベース４４は、コンテンツデータを対応するコンテンツ鍵データで暗号化した形式でコンテンツＩＤ等と対応させて保持するデータベースである。コンテンツ書誌情報データベース４５は、コンテンツデータの書誌情報（タイトル、アーティスト名その他）を、コンテンツ鍵データ及びコンテンツＩＤ等と対応させて保持するデータベースである。コンテンツ鍵データベース４６は、コンテンツデータを暗号化するための各種コンテンツ鍵データを保持するデータベースである。会員コンテンツ鍵データベース４７は、図４に示すように、ユーザが保有するコンテンツ鍵データの束を、ユーザの会員ナンバー、携帯端末識別子ＩＤｃ、又はその携帯端末１０で使用するＳＤメモリカード２０のメディア識別子ＩＤｍと対応させて保持するデータベースである。このデータベースは、本実施の形態のシステムの会員登録を行ったユーザが、誤ってＳＤメモリカード２０中のコンテンツ鍵データを消去してしまった場合等に、これを会員登録データを根拠に再ダウンロードする場合に用いられるものである。
【００２６】
次に、本実施の形態のコンテンツデータ配信システムの使用手順を、図５のフローチャートを参照しながら説明する。ユーザは最初に、ＳＤメモリカード２０を携帯端末１０から取り出して店舗端末３０のスロット３２に挿入する（Ｓ１１）。表示部３１には、例えば図６に示すようなメインメニュー画面が表示されるので、ここでは「コンテンツデータ管理・再ダウンロード」のメニューを店舗端末３０の入力装置（タッチパネル等）を用いて選択する（Ｓ１２）。
【００２７】
すると店舗端末３０は、スロット３２に挿入されているＳＤメモリカード２０のシステム領域２１にアクセスして、ＳＤメモリカード２０のメディア識別子ＩＤｍを読み込む（Ｓ１３）。次に店舗端末３０は、この読み込まれたメディア識別子ＩＤｍに関する会員登録情報の有無を、サーバ４０に対し照会する（Ｓ１４）。サーバ４０は、この照会要求に含まれたメディア識別子ＩＤｍを会員登録情報データベース４１と照合し、該当する会員登録情報の有無を店舗端末３０に返信する。会員登録情報が無い場合（Ｓ１５のＮｏ）、店舗端末３０は、会員登録情報を推奨するメッセージを表示部３１に表示する（Ｓ１６）。会員登録情報があった場合、店舗端末３０は、ＳＤメモリカード２０のユーザデータ領域２４にアクセスして、ＳＤメモリカード２０に格納されているコンテンツ鍵データＫｃｉを読み込む（Ｓ１７）。そして、このコンテンツデータＫｃｉに対応するコンテンツ書誌情報をコンテンツ書誌情報データベース４５から読み出す（Ｓ１８）。続いて店舗端末３０は、再度ユーザデータ領域２４にアクセスして、読み込まれたコンテンツ鍵データＫｃｉに対応する暗号化コンテンツデータＣｉが、ユーザデータ領域２４に格納されているか否かを確認する。そして、コンテンツ書誌情報のリストを、ＳＤメモリカード２０内におけるコンテンツデータＣｉの有無と共に表示部３１に表示する（Ｓ１９）。表示部３１における表示例を図７に示す。コンテンツ書誌情報として読み出された書誌事項（例：曲名、アーティスト名、ジャンル等）が、そのコンテンツデータＣｉのＳＤメモリカード２０内における有無（データ「あり」「なし」）と共に表示される。ユーザは、この画面を見ることにより、現在、どのような内容のコンテンツに関するコンテンツ鍵データを所有しているのか、どのコンテンツデータが実際にＳＤメモリカード２０に格納されているのかを知ることができる。すなわち、所有するコンテンツデータの管理を、自宅でパソコンを所有してコンテンツデータ管理用ソフトウエア等を用いて行うのと同様に、全国各地に存在する店舗端末３０で行うことが可能となる。
【００２８】
表示部３１でデータ「なし」と表示されたコンテンツデータについては、その表示の横に「再ダウンロード」と書かれたアイコンが表示される。この「再ダウンロード」アイコンを選択すると（Ｓ２０）、店舗端末３０はその要求をサーバ４０に転送する。サーバ４０は、これを受けてコンテンツ鍵データＫｃｉで暗号化されたコンテンツデータＥｎｃ（Ｋｃｉ：Ｃｉ）を店舗端末３０に転送する。店舗端末３０は、この暗号化コンテンツデータＥｎｃ（Ｋｃｉ：Ｃｉ）を、ＳＤメモリカード２０のユーザデータ領域２４に書き込む（Ｓ２１）。これにより、コンテンツデータＣｉを携帯端末１０等で再生し楽しむことができるようになる。書き込みが終了すると、図８に示すように、そのコンテンツデータＣｉに対応する部分の「データ」の欄が「なし」から「あり」に変化すると共に、「再ダウンロード」のアイコンが消滅する。続けて別のコンテンツデータの再ダウンロードを続行するときは上記の手順を繰り返し、終了するときは画面右下の「終了」アイコン３０２を選択して終了する（Ｓ２４）。
【００２９】
このように、ユーザは、小データ容量のコンテンツ鍵データについては大量にＳＤメモリカード２０に記憶させておく一方、大容量であるコンテンツデータ自体については、今再生したいもののみを格納し、入れ替えたくなったら店舗端末３０のある店舗に立ち寄って、上記のサービスを受ければよい。従って、パソコンを自宅に有することなく、携帯端末１０のみで大量のコンテンツデータの管理すると共に、好きな場所・好きな時間にコンテンツデータの入れ替えを行うことが可能となる。そして、このサービスは携帯端末識別子及びメディア識別子による会員登録を受けた者にのみ提供されるので、セキュリティ的にも問題はない。
【００３０】
なお、図７の画面の右下の「コンテンツ鍵の再ダウンロード」のアイコン３０１を選択することにより（Ｓ２２）、コンテンツ鍵データベース４７よりコンテンツ鍵データを再ダウンロードすることも可能である（Ｓ２３）。
【００３１】
以上、発明の実施の形態を説明したが、本発明はこれに限定されるものではなく、発明の趣旨を逸脱しない範囲内において様々な変更、置換及び追加等が可能である。例えば、上記実施の形態ではサーバ４０を１つのみ示したが、多数のサーバを分散して接続する形式としてもよい。また、一部のコンテンツデータ、例えば売れ行きの良いコンテンツデータに関しては、店舗端末３０自身がメモリ３７内に格納し、データ通信を行うことなく再ダウンロードを行うことを可能としてもよい。また、各店舗端末３０間でデータを交換することができるようにしてもよい。また、サーバ４０は、異なる複数のコンテンツデータ配信業者が運営する複数のサーバが提供するコンテンツデータに関し上記の再ダウンロード業務を代行すること（ロッカーサービス）を専門とするものであってもよい。また、上記の実施の形態では、店舗端末３０から各種データを得る例を説明したが、例えば図９に示すように、パソコン５０からインターネット等のネットワークＮ２を介してサーバ４０に接続し、店舗端末３０において提供されるのと同様のサービスをＷＷＷ（World Wide Web）等を介して提供するようにしてもよい。このパソコン５０は、ユーザが所有するものであってもよいし、インターネットカフェ等の他人のパソコンであってもよい。
【００３２】
また、ＳＤメモリカード２０を、ＳＤメモリカードスロット３２に挿入する形式の代わりに又はこれと併存させて、ＳＤメモリカード２０が挿入された携帯端末１０を店舗端末３０とＵＳＢケーブル等により接続する形式をとってもよい。この場合においては、再ダウンロードしたコンテンツデータは、ＳＤメモリカード２０に格納する代わりに、携帯電話１０内に格納された別の記憶媒体に格納するようにしてもよい。更に、対応コンテンツデータの格納状況の判定は、ＳＤメモリカード２０と連携する当該別の記憶媒体をも検索・判定の対象としてもよい。
【００３３】
また、１台の携帯端末１０の携帯端末識別子に対し、複数のＳＤメモリカードの複数のメディア識別子を登録して会員登録を行うようにしてもよい。また、一旦会員登録を行った後、別のカードを新たに追加登録することを許容するようにしてもよい。また、会員登録後の料金設定は、定額を支払えば何度再ダウンロードしても固定料金とする他、基本料金内で所定回数以内の再ダウンロードを許容し、所定回数を超えた分については従量制とする方法など、様々な設定方法が可能である。
【００３４】
なお、本実施の形態のコンテンツデータ配信システムにおいてコンテンツデータの新規購入を行う場合には、（１）コンテンツデータベース４４に格納されている暗号化コンテンツデータＥｎｃ（Ｋｃ：Ｃｉ）のうち、購入希望に係る暗号化コンテンツデータＥｎｃ（Ｋｃ：Ｃｉ）をそのまま店舗端末３０に送信する方法と、（２）コンテンツデータベース４４に暗号化される前の生のコンテンツデータＣｉを格納しておき、コンテンツ鍵データベース４６から対応するコンテンツ鍵データＫｃｉを読み出して暗号化処理した後店舗端末３０に送信する方法とが考えられる。
【図面の簡単な説明】
【００３５】
【図１】本発明の第１の実施形態に係るコンテンツデータ配信システムの構成を示す模式図である。
【図２】図１の店舗端末３０の内部構成を示すブロック図である。
【図３】会員登録情報データベース４１に格納されるデータの内容の一例を示す。
【図４】会員コンテンツ鍵データベース４７に格納されるデータの内容の一例を示す。
【図５】本実施の形態のコンテンツデータ配信システムの使用手順を示すフローチャートである。
【図６】店舗端末３０の表示部３１の表示内容の一例である。
【図７】店舗端末３０の表示部３１の表示内容の一例である。
【図８】店舗端末３０の表示部３１の表示内容の一例である。
【図９】本発明の実施の形態の変形例を示す。
【符号の説明】
【００３６】
１０・・・携帯端末、  ２０・・・ＳＤメモリカード、  ３０・・・店舗端末、  ４０・・・サーバ、  ５０・・・パソコン。
【図１】
0004764103.tif 000002
【図２】
0004764103.tif 000003
【図３】
0004764103.tif 000004
【図４】
0004764103.tif 000005
【図５】
0004764103.tif 000006
【図６】
0004764103.tif 000007
【図７】
0004764103.tif 000008
【図８】
0004764103.tif 000009
【図９】
0004764103.tif 000010